【手続補正書】
【提出日】平成18年4月13日(2006.4.13)
【手続補正１】
【補正対象書類名】明細書
【補正対象項目名】発明の名称
【補正方法】変更
【補正の内容】
【発明の名称】車載用レーダ及びモノパルスレーダ
【手続補正２】
【補正対象書類名】明細書
【補正対象項目名】特許請求の範囲
【補正方法】変更
【補正の内容】
【特許請求の範囲】
【請求項１】
接地導体板の上面に配置した送信アンテナ及び受信アンテナと、
該送信アンテナに信号を供給し、該受信アンテナで受信された、障害物で反射した反射波の信号から障害物の方位を検出するレーダ送受信装置とを備え、
上記接地導体板の上面端部の少なくとも一部に電波回折阻止構造が設けられ、上記電波回折阻止構造は、送信アンテナから放射され、障害物で反射され、更に端部で回折されることによって発生して受信アンテナに到達する回折光が阻止されるように配置されていることを特徴とする車載用レーダ。
【請求項２】
上記電波回折阻止構造は、上記上面端部の少なくとも一部を覆って上記接地導体板の上面に配置した電波吸収体からなることを特徴とする請求項１に記載の車載用レーダ。
【請求項３】
上記送信アンテナと上記受信アンテナの間にも電波吸収体が配置されていることを特徴とする請求項２に記載の車載用レーダ。
【請求項４】
上記電波吸収体群は、電波吸収粒子を含ませたスポンジ材によって構成されていることを特徴とする請求項３に記載の車載用レーダ。
【請求項５】
上記送信アンテナ及び上記受信アンテナの前方を覆うレドームを更に有していることを特徴とする請求項３に記載の車載用レーダ。
【請求項６】
上記電波吸収体群は、予め上記レドームに取り付けられていることを特徴とする請求項５に記載の車載用レーダ。
【請求項７】
上記電波吸収体群は、上記送信アンテナの上面からの高さが障害物検知を行なう角度範囲外への電波の放射を防止するように選択され、かつ、上記受信アンテナの上面からの高さが障害物検知を行なう角度範囲外からの電波の到来を防止するように選択されていることを特徴とする請求項３に記載の車載用レーダ。
【請求項８】
上記電波吸収体は、電波吸収粒子を含ませたスポンジ材によって構成されていることを特徴とする請求項２に記載の車載用レーダ。
【請求項９】
上記送信アンテナ及び上記受信アンテナの前方を覆うレドームを更に有していることを特徴とする請求項２に記載の車載用レーダ。
【請求項１０】
上記電波吸収体は、予め上記レドームに取り付けられていることを特徴とする請求項９に記載の車載用レーダ。
【請求項１１】
上記電波吸収体は、上記送信アンテナの上面からの高さが障害物検知を行なう角度範囲外への電波の放射を防止するように選択され、かつ、上記受信アンテナの上面からの高さが障害物検知を行なう角度範囲外からの電波の到来を防止するように選択されていることを特徴とする請求項２に記載の車載用レーダ。
【請求項１２】
上記接地導体板の上面端部は、少なくともその一部が少なくとも２面で構成されていることを特徴とする請求項１に記載の車載用レーダ。
【請求項１３】
上記接地導体板の上面端部は、少なくともその一部が曲面を備えていることを特徴とする請求項１に記載の車載用レーダ。
【請求項１４】
上記接地導体板の上面端部に突起物が設けられていることを特徴とする請求項１に記載の車載用レーダ。
【請求項１５】
接地導体板の上面に配置した送信アンテナ及び受信アンテナと、
該送信アンテナに送信信号を供給し、該受信アンテナで受信した、障害物で反射した反射波の信号から障害物の方位を検出するレーダ送受信装置とを備え、
上記送信アンテナを配置した上記接地導体板の上面の高さが上記受信アンテナを配置した上記接地導体板の上面よりも高いことを特徴とする車載用レーダ。
【請求項１６】
接地導体板の上面に配置した送信アンテナ及び受信アンテナと、
該送信アンテナに信号を供給し、該受信アンテナで受信された、障害物で反射した反射波の信号から障害物の方位を検出するレーダ送受信装置とを備え、
上記障害物の方位は、受信アンテナのそれぞれによって受信された各受信信号の振幅及び位相を含むパラメータの少なくとも一つに基づいて検出され、
上記接地導体板の上面端部の少なくとも一部に電波回折阻止構造が設けられ、上記電波回折阻止構造は、送信アンテナから放射され、障害物で反射され、更に端部で回折されることによって発生して受信アンテナに到達する回折光が阻止されるように配置されていることを特徴とするモノパルスレーダ。
【請求項１７】
上記電波回折阻止構造は、上記上面端部の少なくとも一部を覆って上記接地導体板の上面に配置した電波吸収体からなることを特徴とする請求項１６に記載のモノパルスレーダ。
【請求項１８】
上記送信アンテナと上記受信アンテナの間にも電波吸収体が配置されていることを特徴とする請求項１７に記載のモノパルスレーダ。
【請求項１９】
上記電波吸収体は、電波吸収粒子を含ませたスポンジ材によって構成されていることを特徴とする請求項１７に記載のモノパルスレーダ。
【請求項２０】
上記電波吸収体群は、電波吸収粒子を含ませたスポンジ材によって構成されていることを特徴とする請求項１８に記載のモノパルスレーダ。
【請求項２１】
上記送信アンテナ及び上記受信アンテナの前方を覆うレドームを更に有していることを特徴とする請求項１７に記載のモノパルスレーダ。
【請求項２２】
上記送信アンテナ及び上記受信アンテナの前方を覆うレドームを更に有していることを特徴とする請求項１８に記載のモノパルスレーダ。
【請求項２３】
上記電波吸収体は、上記送信アンテナの上面からの高さが障害物検知を行なう角度範囲外への電波の放射を防止するように選択され、かつ、上記受信アンテナの上面からの高さが障害物検知を行なう角度範囲外からの電波の到来を防止するように選択されていることを特徴とする請求項１７に記載のモノパルスレーダ。
【請求項２４】
上記電波吸収体群は、上記送信アンテナの上面からの高さが障害物検知を行なう角度範囲外への電波の放射を防止するように選択され、かつ、上記受信アンテナの上面からの高さが障害物検知を行なう角度範囲外からの電波の到来を防止するように選択されていることを特徴とする請求項１８に記載のモノパルスレーダ。
【請求項２５】
上記接地導体板の上面端部は、少なくともその一部が少なくとも２面で構成されていることを特徴とする請求項１６に記載のモノパルスレーダ。
【請求項２６】
上記接地導体板の上面端部は、少なくともその一部が曲面を備えていることを特徴とする請求項１６に記載のモノパルスレーダ。
【請求項２７】
上記接地導体板の上面端部に突起物が設けられていることを特徴とする請求項１６に記載のモノパルスレーダ。
【請求項２８】
接地導体板の上面に配置した送信アンテナ及び受信アンテナと、
該送信アンテナに送信信号を供給し、該受信アンテナで受信した、障害物で反射した反射波の信号から障害物の方位を検出するレーダ送受信装置とを備え、
上記障害物の方位は、受信アンテナのそれぞれによって受信された各受信信号の振幅及び位相を含むパラメータの少なくとも一つに基づいて検出され、
上記送信アンテナを配置した上記接地導体板の上面の高さが上記受信アンテナを配置した上記接地導体板の上面よりも高いことを特徴とするモノパルスレーダ。
【請求項２９】
上記電波吸収体は、予め上記レドームに取り付けられていることを特徴とする請求項２１に記載のモノパルスレーダ。
【請求項３０】
上記電波吸収体群は、予め上記レドームに取り付けられていることを特徴とする請求項２２に記載のモノパルスレーダ。